(57)【要約】【課題】基準黒板を使用しないで黒色補正用データを生成し、本体システムとの接続線を減らすことができる安価な画像読取装置を提供することである。【解決手段】センサで白板および原稿の画像データを読み取る。この読み取られた画像データは、Ｓ／Ｈ回路部を介してＡ／Ｄ変換器のＶｉｎ端子に入力される。Ｖｒｅｆ端子の基準電圧値とＶｉｎ端子に入力された画像データの電圧値とが比較され、画像データがデジタルデータに変換される。このデジタルデータは、メモリ部に入力され、１ラインの画像データに合成される。合成データは、黒補正部に入力されメモリ部の黒補正データを基に減算処理が施される。算出された画像データは、シェーディング補正回路部に入力され、白板読取処理で読み取られた白基準データに基づいてシェーディング補正が行われるそして、画像データは、このシェーディング補正終了後に後段の画像処理部へ出力される。【選択図】　図２
2004080730.tif 000002
【特許請求の範囲】
【請求項１】
原稿を照射するための主光源と、前記主光源に付随して設けられた補助光源と、前記主光源によって照射された光学的な原稿情報を電気信号に変換するためのイメージセンサと、全画素の基準黒補正データを生成する基準黒補正回路と、白基準板を用いて前記全画素の基準白補正データを生成する基準白補正回路と、を備えた画像読取装置において、
前記原稿の画像読取処理開始のタイミングを示す原稿読取開始信号が発生した場合に前記基準黒補正回路で前記基準黒補正データを生成する基準黒補正データ生成手段と、
前記基準黒補正データ生成手段により基準黒補正データを生成した後に、前記主光源および前記補助光源を点灯させる点灯手段と、
前記点灯手段によって点灯された前記主光源を用いて、前記白基準板の読取処理を行い前記基準白補正データを生成する基準白補正データ生成手段と、
前記点灯手段によって点灯された前記主光源を用いて、前記原稿の読取処理を行う原稿画像読取手段と、
前記原稿画像読取手段により読み取られた前記原稿の画像データに、前記基準黒補正データ生成手段により生成された前記基準黒補正データ、および前記基準白補正データ生成手段により生成された前記基準白補正データに基づいてデータの補正を行う補正手段と、
を備えたことを特徴とする画像読取装置。
【請求項２】
前記基準白補正データ生成手段により基準白補正データを生成する場合、および前記原稿画像読取手段により前記原稿の読取処理を行う場合には、前記補助光源を消灯させることを特徴とする請求項１記載の画像読取装置。
【請求項３】
前記点灯手段は、所定の予備点灯期間のみ前記主光源と前記補助光源を点灯させることを特徴とする請求項１記載の画像読取装置。
【請求項４】
前記所定の予備点灯期間は、前記補助光源および前記主光源を同じ期間点灯させることを特徴とする請求項３記載の画像読取装置。
【請求項５】
前記所定の予備点灯期間は、当該画像読取装置に備えられている自動原稿給紙装置の原稿給紙トレイに、原稿がセットされたときに実行されるトレイリフトアップ処理の期間内に設けられていることを特徴とする請求項３、または請求項４記載の画像読取装置。
【請求項６】
前記点灯手段は、前記主光源を点滅動作させることを特徴とする請求項１、請求項２、請求項３、請求項４、または、請求項５記載の画像読取装置。
【請求項７】
前記点滅動作時には、前記補助光源を点灯させることを特徴とする請求項６記載の画像読取装置。
【請求項８】
前記点滅動作は、当該画像読取装置の電源投入時に行うことを特徴とする請求項６、または、請求項７記載の画像読取装置。
【請求項９】
前記点滅動作は、当該画像読取装置に備えられている自動原稿給紙装置の原稿給紙トレイに、原稿がセットされたときに実行されるトレイリフトアップ処理の期間内に行うことを特徴とする請求項６、請求項７、または、請求項８記載の画像読取装置。
【請求項１０】
原稿を照射するための光源と、前記光源によって照射された光学的な原稿情報を電気信号に変換するためのイメージセンサと、全画素の基準黒補正データを生成する基準黒補正回路と、白基準板を用いて前記全画素の基準白補正データを生成する基準白補正回路と、を備えた画像読取装置において、前記原稿の画像読取処理開始のタイミングを示す原稿読取開始信号が発生した場合に前記基準黒補正回路で前記基準黒補正データを生成する基準黒補正データ生成手段と、
前記基準黒補正データ生成手段により基準黒補正データを生成した後に、前記光源を点灯させる点灯手段と、
前記点灯手段によって点灯された前記光源を用いて、前記白基準板の読取処理を行い前記基準白補正データを生成する基準白補正データ生成手段と、
前記点灯手段によって点灯された前記光源を用いて、前記原稿の読取処理を行う原稿画像読取手段と、
前記原稿画像読取手段により読み取られた前記原稿の画像データに、前記基準黒補正データ生成手段により生成された前記基準黒補正データ、および前記基準白補正データ生成手段により生成された前記基準白補正データに基づいてデータの補正を行う補正手段と、を備え、
前記点灯手段は、所定の予備点灯期間のみ前記光源を点灯させることを特徴とする画像読取装置。
【請求項１１】
前記所定の予備点灯期間は、前記光源を点滅動作させることを特徴とする請求項１０記載の画像読取装置。
【請求項１２】
前記点滅動作は、当該画像読取装置の電源投入時に行うことを特徴とする請求項１１記載の画像読取装置。
【請求項１３】
前記点滅動作は、当該画像読取装置に備えられている自動原稿給紙装置の原稿給紙トレイに、原稿がセットされたときに実行されるトレイリフトアップ処理の期間内に行うことを特徴とする請求項１１、または、請求項１２記載の画像読取装置。
【発明の詳細な説明】
【０００１】
【発明の属する技術分野】
本発明は、密着ラインイメージセンサを用いて絵や写真などの画像を光学的に読み取りデジタル情報に変換する際に、原稿画像の電気信号の補正を行うスキャナ装置、電子複写装置などの画像読取装置に関する。
【０００２】
【従来の技術】
近年、絵や写真などの画像を密着ラインイメージセンサやＣＣＤ（電荷結合素子）イメージセンサなどで光学的に読み取り、読み取った電気信号をデジタル情報に変換する技術が発達してきている。これに伴い、高性能センサを搭載したスキャナ装置を用いたファクシミリ装置、電子複写装置、複合装置などが広く普及してきている。
【０００３】
上記のようなイメージセンサを使用して原稿画像を受光素子で読み取る際には、光源である露光ランプ照度の主走査方向のばらつきや、点灯時間の経過による光量の変化を補正するシェーディング補正が行われる。
このシェーディング補正は、白色補正用データおよび黒色補正用データを基に受光素子から出力される原稿画像の電気信号を補正することにより実行される。ここで使用される白色補正用データおよび黒色補正用データは、原稿画像を読み取る前、または読み取り中にスキャナ装置において生成される。
これらの補正用データは、原稿を読み取るごとに、スキャナ装置の所定の位置に配置された色（白および黒）濃度の基準となる基準板を読み取り、その基準板の読み取りデータを基に生成することができるようになっている。
【０００４】
ところで、ＣＣＤイメージセンサでは、センサ自体が１ラインごとに黒ダミー出力をしており、この黒ダミー出力を利用してシェーディング補正を行うことができるため、黒色補正用データを生成する必要がない。しかし、密着ラインイメージセンサを使用して画像の読み取りを行う場合には、黒色補正用データを生成する必要がある。つまり、密着ラインイメージセンサを使用して画像の読み取りを行う場合には、シェーディング補正を行うための２種類の基準板が必要になる。
そこで、従来、黒色濃度の基準となる基準黒板を使用しないで黒色補正用データを生成する技術が下記の特許文献をはじめ、種々提案されている。
【特許文献１】
特開昭６３−１８７６３号公報
【特許文献２】
特開昭６２−２３５８７１号公報
【０００５】
特許文献１には、センサがホームポジションに配置されている間の光源が消灯している期間に、専用制御信号を用いて黒色補正用データを生成する技術が提案されている。
また、特許文献２には、画像を光学的に読み取る際の暗電流のばらつきを検出して補正することにより、基準黒板を使用しないで画像信号の不均一性を補正する技術が提案されている。
【０００６】
【発明が解決しようとする課題】
しかしながら、上述したような専用制御信号を用いて黒色補正用データを生成する技術を利用する場合、黒色濃度の基準となる基準黒板を必要としなくてよいものの、専用制御信号用の信号線が必要となる。これにより本体装置との接続が複雑になり、接続線の本数も増えてしまう。
そこで、本発明の目的は、黒色濃度の基準となる基準黒板を使用しないで黒色補正用データを生成する場合に、読み取り開始信号を使用して黒色補正用データの生成を開始し、基準黒板および専用の信号線を不要とすることにより本体システムとの接続線を減らすことができる安価な画像読取装置を提供することである。
【０００７】
【課題を解決するための手段】
請求項１記載の発明では、原稿を照射するための主光源と、前記主光源に付随して設けられた補助光源と、前記主光源によって照射された光学的な原稿情報を電気信号に変換するためのイメージセンサと、全画素の基準黒補正データを生成する基準黒補正回路と、白基準板を用いて全画素の基準白補正データを生成する基準白補正回路と、を備えた画像読取装置において、前記原稿の画像読取処理開始のタイミングを示す原稿読取開始信号が発生した場合に前記基準黒補正回路で前記基準黒補正データを生成する基準黒補正データ生成手段と、前記基準黒補正データ生成手段により基準黒補正データを生成した後に、前記主光源および前記補助光源を点灯させる点灯手段と、前記点灯手段によって点灯された前記主光源を用いて、前記白基準板の読取処理を行い基準白補正データを生成する基準白補正データ生成手段と、前記点灯手段によって点灯された前記主光源を用いて、前記原稿の読取処理を行う原稿画像読取手段と、前記原稿画像読取手段により読み取られた前記原稿の画像データに、前記基準黒補正データ生成手段により生成された前記基準黒補正データ、および前記基準白補正データ生成手段により生成された前記基準白補正データに基づいてデータの補正を行う補正手段と、を備えることにより前記目的を達成する。
【０００８】
請求項２記載の発明では、請求項１記載の発明において、前記基準白補正データ生成手段により基準白補正データを生成する場合、および前記原稿画像読取手段により前記原稿の読取処理を行う場合には、前記補助光源を消灯させることにより前記目的を達成する。
請求項３記載の発明では、請求項１記載の発明において、前記点灯手段は、所定の予備点灯期間のみ前記主光源と前記補助光源を点灯させることにより前記目的を達成する。
【０００９】
請求項４記載の発明では、請求項３記載の発明において、前記所定の予備点灯期間は、前記補助光源および前記主光源を同じ期間点灯させることにより前記目的を達成する。
請求項５記載の発明では、請求項３または請求項４記載の発明において、前記所定の予備点灯期間は、当該画像読取装置に備えられている自動原稿給紙装置の原稿給紙トレイに、原稿がセットされたときに実行されるトレイリフトアップ処理の期間内に設けられていることにより前記目的を達成する。
【００１０】
請求項６記載の発明では、請求項１、請求項２、請求項３、請求項４、または、請求項５記載の発明において、前記点灯手段は、前記主光源を点滅動作させることにより前記目的を達成する。
請求項７記載の発明では、請求項６記載の発明において、前記点滅動作時には、前記補助光源を点灯させることにより前記目的を達成する。
請求項８記載の発明では、請求項６、または、請求項７記載の発明において、前記点滅動作は、当該画像読取装置の電源投入時に行うことにより前記目的を達成する。
請求項９記載の発明では、請求項６、請求項７、または、請求項８記載の発明において、前記点滅動作は、当該画像読取装置に備えられている自動原稿給紙装置の原稿給紙トレイに、原稿がセットされたときに実行されるトレイリフトアップ処理の期間内に行うことにより前記目的を達成する。
【００１１】
請求項１０記載の発明では、原稿を照射するための光源と、前記光源によって照射された光学的な原稿情報を電気信号に変換するためのイメージセンサと、全画素の基準黒補正データを生成する基準黒補正回路と、白基準板を用いて前記全画素の基準白補正データを生成する基準白補正回路と、を備えた画像読取装置において、前記原稿の画像読取処理開始のタイミングを示す原稿読取開始信号が発生した場合に前記基準黒補正回路で前記基準黒補正データを生成する基準黒補正データ生成手段と、前記基準黒補正データ生成手段により基準黒補正データを生成した後に、前記光源を点灯させる点灯手段と、前記点灯手段によって点灯された前記光源を用いて、前記白基準板の読取処理を行い前記基準白補正データを生成する基準白補正データ生成手段と、前記点灯手段によって点灯された前記光源を用いて、前記原稿の読取処理を行う原稿画像読取手段と、前記原稿画像読取手段により読み取られた前記原稿の画像データに、前記基準黒補正データ生成手段により生成された前記基準黒補正データ、および前記基準白補正データ生成手段により生成された前記基準白補正データに基づいてデータの補正を行う補正手段と、を備え、前記点灯手段は、所定の予備点灯期間のみ前記光源を点灯させることにより前記目的を達成する。
【００１２】
請求項１１記載の発明では、請求項１０記載の発明において、前記所定の予備点灯期間は、前記光源を点滅動作させることにより前記目的を達成する。
請求項１２記載の発明では、請求項１１記載の発明において、前記点滅動作は、当該画像読取装置の電源投入時に行うことにより前記目的を達成する。
請求項１３記載の発明では、請求項１１、または、請求項１２記載の発明において、前記点滅動作は、当該画像読取装置に備えられている自動原稿給紙装置の原稿給紙トレイに、原稿がセットされたときに実行されるトレイリフトアップ処理の期間内に行うことにより前記目的を達成する。
【００１３】
【発明の実施の形態】
以下、本発明の画像読取装置における好適な実施の形態について、図１から図８を参照して詳細に説明する。
図１は、本発明の実施の形態に係る画像読取装置の概略構成を示す図である。この画像読取装置は、図１に示すように、原稿１０１を積載するためのトレイ１０２、密着イメージセンサ１０３、および白板１０４が備えられている。
また、この画像読取装置は、ＡＤＦ（オート・ドキュメント・フィーダ）を備えている。このＡＤＦを使用すると、複数枚の原稿１０１を一度に読み取る際に、トレイ１０２から原稿１０１を一枚づつ原稿セット位置まで給送し、読取処理終了後に再び排紙トレイに原稿１０１を収納するようになっている。
【００１４】
本実施の形態に係る画像読取装置では、上述したＡＤＦを用いて、トレイ１０２に積載された原稿１０１を搬送して画像の読取処理を行うが、この読取処理を行う前に、密着イメージセンサ１０３内に内蔵されている光源自身のバラツキや、温度、経時変下によるバラツキ、光源や読み取り素子などの主走査方向の１ラインのバラツキを補正するシェーディング補正を行うために、白基準となる白板１０４を読み取る白板読取処理を行う。
【００１５】
この白板読取処理では、白板１０４を読み取るときに、密着イメージセンサ１０３からの読み取り出力のピーク値があらかじめ定められた目標値になるように、読み取り部内の利得可変増幅器の利得を可変して調整するようになっている。そして、この白板読取処理後に、原稿１０１がトレイ１０２から搬送され原稿の画像読取処理を行うようになっている。
【００１６】
図２は、本実施の形態に係る画像読取装置の構成を示すブロック図である。
画像読取装置は、図２に示すように、密着イメージセンサ１０３、Ｓ／Ｈ（サンプル／ホールド）回路部２０３ａ〜２０３ｄ、Ａ／Ｄ（アナログ／デジタル）変換器２０４ａ〜２０４ｄ、メモリ部２０５、黒補正回路部２０６、シェーディング補正回路部２０７、リファレンスコントロール回路部２０８、ゲート信号発生回路部２０９を備えている。
密着イメージセンサ１０３は、ＬＥＤ（発光ダイオード）アレイ２０１およびセンサ２０２ａ〜２０２ｄより構成されている。
【００１７】
図３は、本実施の形態に係る画像読取装置において行われる原稿画像の読取処理の手順を示したフローチャートである。
画像読取装置では、光源であるＬＥＤアレイ２０１からの光により白板１０４および原稿１０１が照射されると、読取素子であるセンサ２０２ａ〜２０２ｄにおいて白板１０４および原稿１０１の画像データが読み取られる（ステップ１１）。
そして、センサ２０２ａ〜２０２ｄで読み取られた画像データは、サンプリング（記憶）され、次のサンプリングまでこの画像データを保持するＳ／Ｈ回路部２０３ａ〜２０３ｄに入力される（ステップ１２）。
Ｓ／Ｈ回路部２０３ａ〜２０３ｄに出力された画像データは、Ａ／Ｄ（アナログ・デジタル）変換器２０４ａ〜２０４ｄの入力部の一端であるＶｉｎ端子に入力される（ステップ１３）。
【００１８】
一方、Ａ／Ｄ変換器２０４ａ〜２０４ｄのＶｒｅｆ端子には、基準となる電圧が入力され、この基準電圧値とＶｉｎ端子に入力された画像データの電圧値とが比較される。そして、この比較結果のレベル値に基づいて、画像データがデジタルデータに変換される（ステップ１４）。なお、Ｖｒｅｆ端子に入力される基準電圧は、リファレンスコントロール回路部２０８で生成される。
次に、Ａ／Ｄ変換器２０４ａ〜２０４ｄでデジタルデータに変換された画像データは、メモリ部２０５に入力され、ここで１ラインの画像データに合成される（ステップ１５）。
【００１９】
そして、メモリ部２０５で合成された１ライン分の画像データは、黒補正回路部２０６に入力され、黒補正回路部２０６に備えられているメモリ部（図示せず）にあらかじめ格納されている黒補正データを基に黒補正処理が施される（ステップ１６）。
黒補正回路部２０６の黒補正処理により算出された画像データは、シェーディング補正回路部２０７に入力され、白板読取処理で読み取られた白基準データに基づいてシェーディング補正が行われる（ステップ１７）
そして、画像データは、このシェーディング補正終了後に後段の画像処理部へ出力されて処理を終了する。
【００２０】
図４は、リファレンスコントロール回路部２０８の構成を示すブロック図である。
リファレンスコントロール回路部２０８は、図４に示すように、平均値回路部３０１、コンパレータ部３０２、Ｄ／Ａ（デジタル／アナログ）変換器３０３ａ〜３０３ｃ、Ｐ／Ｈ（ピーク／ホールド）回路部３０４、およびＳＷ（スイッチ）３０６ａ〜３０６ｃを備えている。
【００２１】
次に、このように構成されたリファレンスコントロール回路部２０８の動作について説明する。
リファレンスコントロール回路部２０８には、メモリ部２０５から出力されたデジタルデータの一端が入力されるようになっている。
まず、このメモリ部２０５で１ラインに合成された画像のデジタルデータは、平均値回路部３０１でデータに含まれているノイズの除去が行われた後に、コンパレータ部３０２に入力される。
【００２２】
このコンパレータ部３０２では、入力された画像のデジタルデータと記憶部（図示せず）にあらかじめ設定されている比較値との比較が行われる。
そして、入力された画像のデジタルデータが比較値より高い場合は、次段のＤ／Ａ変換器３０３ａにＨｉ（ハイ）データが出力さる。また、入力された画像のデジタルデータが比較値より低い場合は、次段のＤ／Ａ変換器３０３ａにＬｏｗ（ロー）データが出力されるようになっている。
出力されたデータは、Ｄ／Ａ変換器３０３ａでアナログデータに変換された後に、Ｐ／Ｈ回路部３０４に入力される。
Ｐ／Ｈ回路部３０４では、入力された画像のアナログデータからピークデータを検出し、これをＡ／Ｄ変換器２０４ａ〜２０４ｄのＶｒｅｆ端子に入力して基準電圧として用いる。
【００２３】
このＡ／Ｄ変換器２０４ａ〜２０４ｄの基準電圧として用いられる基準電圧は、３種類用意されておりモードごとにＳＷ３０６ａ〜３０６ｃにより切り替えることができるようになっている
第１の基準電圧は、画像読取装置の地肌除去機能を使用する場合に、上述したＰ／Ｈ回路部３０４で検出されたピークデータがＳＷ３０６ａを介してＡ／Ｄ変換器２０４ａ〜２０４ｄに入力される電圧である。
第２の基準電圧は、ＷＴＧＴ（白基準用ゲート信号）がハイレベルの場合に、原稿用電圧が、Ｄ／Ａ変換器３０３ｂでアナログデータに変換された後に、ＳＷ３０６ｂを介してＡ／Ｄ変換器２０４ａ〜２０４ｄに入力される電圧である。
第３の基準電圧は、ＷＴＧＴ（白基準用ゲート信号）がハイレベルの場合に、白板用電圧が、Ｄ／Ａ変換器３０３ｃでアナログデータに変換された後に、ＳＷ３０６ｃを介してＡ／Ｄ変換器２０４ａ〜２０４ｄに入力される電圧である。
画像読取装置の地肌除去機能を使用する場合は、上述したＰ／Ｈ回路部３０４で検出されたピークデータが基準電圧となる。
【００２４】
（実施例１）
次に、上記のように構成された画像読取装置おいて、読取開始信号を入力した後に主光源を点灯しない時間を設けて画像読取処理を行う実施例について説明する。
図５は、実施例１における画像読取装置で用いられる各種制御信号のタイミングチャートを示した図である。
ここで、図５に示す各種信号の説明を行う。
読み取り開始信号は当該画像読取装置における画像の読取処理を開始するタイミングを示す信号である。
主光源点灯信号および補助光源点灯信号は、各光源の点灯状態を示す信号である。ＳＬＥＡＤ信号は、白板読み取り範囲を示す信号であり、ＳＳＣＡＮ信号は、原稿読み取り範囲を示す信号である。ＳＨＧＴ信号およびＳＦＧＡＴＥ信号は、図２に示すシェーディング補正回路部２０７における白シェーディング補正に関する制御信号であり、ＡＥＭＯＤＥ信号、ＷＴＧＴ信号、およびＤＯＣＧＴ信号は、図２に示すゲート信号発生回路２０９から出力されるゲート信号である。ＰＷＩＮＤ信号は、図４に示す平均値回路部３０１における原稿１０１の地肌読み取り期間を設定する信号である。
【００２５】
画像読取装置は、図５に示すように読み取り開始信号が入力されると、黒補正用のデータを生成するためにｎ数ライン分（Ｌ１ａの期間）光源を点灯しない期間が確保されるようになっている。
そして、画像読取装置は、このＬ１ａの期間に図１に示す密着イメージセンサ１０３を用いて黒データを読み取る。
ここで読み取られた黒データは、図２の黒補正回路部２０６内に備えられているメモリ部（図示せず）に記憶される。そして、この黒データを基に黒補正回路部２０６に黒補正のための黒補正データが生成される。
画像読取装置は、前記黒補正データ生成後に主光源および補助光源を同時に点灯させ、密着イメージセンサ１０３を用いて原稿読取処理を開始する。
【００２６】
画像読取装置は、本体システムより入力されるＳＬＥＡＤ信号、およびＳＳＣＡＮ信号に基づいて、図１に示す白板１０４および原稿１０１の読取動作を開始する。このとき、補助光源は、本体システムから転送されるＳＬＥＡＤ信号が入力される前のＬ５ａ期間内に一端点灯させて、その後消灯させるようにする。
なお、主光源および補助光源は、同時に点灯させる必要はないため、例えば、黒補正データ生成後からＳＬＥＡＤ信号が入力されるまでのＬ５ａ期間内に主光源の点灯を行うようにすればよい。また、補助光源は、このＬ５ａ期間内に点灯および消灯が行えるタイミングが確保されている状態であればよい。
【００２７】
このように、黒補正データを生成するための開始信号を、読み取り開始信号により行うことで、従来の画像読取装置が有していた専用制御信号用の信号線が不必要になる。また、これにより本体システムとの接続線も減らすことができるため、安価な画像処理装置を構成することができる。
【００２８】
上述したような補助光源を使用することで、主光源の点灯時間を速くさせることができるため、原稿読取処理の開始時間までを短縮することができる。また、原稿読取処理を行う前に補助光源を消灯させることで、原稿読取処理の際に、補助光源の影響を出さないようにすることができる。
【００２９】
（実施例２）
上記のように構成にされた画像読取装置おいて、読取開始信号を入力した後に主光源および補助光源を点灯する予備点灯時間を設けて画像読取処理を行う実施例について説明する。なお、実施例１と重複する内容の説明は省略する
図６は、実施例２における画像読取装置で用いられる各種制御信号のタイミングチャートを示した図である。
図６に示すように光源の予備点灯を行うための読取開始信号が入力されると、黒補正用のデータを生成するためにｎ数ライン分（Ｌ１ｂの期間）光源を点灯しない期間に黒データを読み込む。読み取られた黒データは、図２の黒補正回路部２０６内のメモリ部に記憶される。
【００３０】
黒補正データ生成後、Ｌ５ｂの期間に主光源および補助光源を点灯する。以下、この点灯を予備点灯と表現する。この予備点灯は、図１の原稿１０１を積載するトレイ１０２に原稿１０１を置いたときに原稿給仕部までトレイ１０２を上昇させるタイミングにあわせて行う。なお、この予備点灯は、原稿読取処理開始前に原稿セットを実行するときにのみ行う。
ここでは、補助光源を主光源の点灯期間と同じ期間だけ予備点灯するようにしているが、主光源の点灯期間より短い期間内に消灯するようにしてもよい。
また、この予備点灯は、最初の原稿１０１の原稿読取処理を行う期間が長くならないような期間であれば、例えばトレイ１０２からの原稿給紙から、密着イメージセンサ１０３の原稿読取処理までの間に行うようにしてもよい。さらに、この予備点灯は、トレイ１０２のリフトアップの際と原稿給紙の際の２回行うようにしてもよい。
【００３１】
予備点灯の期間が終了すると、原稿１０１が給紙され原稿読取処理を開始し、密着イメージセンサ１０３で読み取られた黒データを基に黒補正データが生成されるが、この黒補正データを生成する間は、補助光源は点灯させない。
画像読取装置は、本体システムより入力されるＳＬＥＡＤ信号およびＳＳＣＡＮ信号に基づいて、白板１０４および原稿１０１の読取動作を開始するが、２枚目以降の原稿１０１を読み取る場合には、原稿読取処理のみ行い、予備点灯動作は行わない。
このように、予備点灯期間を設けることで、原稿読取処理の際に光源が点灯しないなどの不具合を解消することができる。また、補助光源を使用することで主光源の点灯時間を速くさせることができる。さらに、補助光源は予備点灯時だけ使用することにより、原稿読取処理の際に、補助光源の影響を出さないようにすることができる。
【００３２】
（実施例３）
上記のように構成にされた画像読取装置おいて、読取開始信号を入力した後に主光源および補助光源を点滅動作させて画像読取処理を行う実施例について説明する。なお、実施例１および実施例２と重複する内容の説明は省略する。
また、点滅動作をさせる回数は、電源立ち上げ時間に影響ない時間で有れば何回でも良い。例えば、ＡＤＦの制御部と、システム本体の制御部を独立にして持っている場合は、ＡＤＦと本体の制御部間での通信前に、ＡＤＦの制御部が単独で密着イメージセンサへの読取開始信号を発生させるようにすれば、電源立ち上げ時の処理を妨げないようにすることができる。
【００３３】
図７は、実施例３における画像読取装置で用いられる各種制御信号のタイミングチャートを示した図である。
図７に示すように光源の点滅動作を行うための読取開始信号が入力されると、黒補正用のデータを生成するためにｎ数ライン分（Ｌ１ｃの期間）光源を点灯しない期間に黒データを読み込む。読み取られた黒データは、図２の黒補正回路部２０６内のメモリ部に記憶される。
【００３４】
黒補正データ生成後、Ｌ５ｃの期間に主光源および補助光源を点滅動作する。この点滅動作は、図１の原稿１０１を積載するトレイ１０２に原稿１０１を置いたときに原稿給仕部までトレイ１０２を上昇させるタイミングにあわせて行う。なお、この点滅動作は、原稿読取処理開始前に原稿セットを実行するときにのみ行う。
ここでは、補助光源を主光源の点灯期間と同じ期間だけ点滅動作するようにしているが、主光源の点灯期間より短い期間内に消灯するようにしてもよい。
また、この点滅動作は、最初の原稿１０１の原稿読取処理を行う期間が長くならないような期間であれば、例えばトレイ１０２からの原稿給紙から、密着イメージセンサ１０３の原稿読取処理までの間に行うようにしてもよい。さらに、この点滅動作は、トレイ１０２のリフトアップの際と原稿給紙の際の２回行うようにしてもよい。
【００３５】
点滅動作の期間が終了すると、原稿１０１が給紙され原稿読取処理を開始し、密着イメージセンサ１０３で読み取られた黒データを基に黒補正データが生成されるが、この黒補正データを生成する間は、補助光源は点灯させない。
画像読取装置は、本体システムより入力されるＳＬＥＡＤ信号およびＳＳＣＡＮ信号に基づいて、白板１０４および原稿１０１の読取動作を開始するが、２枚目以降の原稿１０１を読み取る場合には、原稿読取処理のみ行い、点滅動作は行わない。
このように、主光源の点滅動作を行うことで、原稿読取処理の際に光源が点灯しないなどの不具合を解消することができる。また、補助光源を使用することで主光源の点灯時間を速くさせることができる。さらに、補助光源は予備点灯時だけ使用することにより、原稿読取処理の際に、補助光源の影響を出さないようにすることができる。
【００３６】
（実施例４）
上記のように構成にされた画像読取装置おいて、読取開始信号を入力した後に光源を点灯する予備点灯時間を設けて画像読取処理を行う実施例について説明する。ここでは、補助光源は使用しない。なお、実施例１、実施例２および実施例３と重複する内容の説明は省略する。
【００３７】
図８は、実施例４における画像読取装置で用いられる各種制御信号のタイミングチャートを示した図である。
図８に示すように光源の予備点灯を行うための読取開始信号が入力されると、黒補正用のデータを生成するためにｎ数ライン分（Ｌ１ｄの期間）光源を点灯しない期間に黒データを読み込む。読み取られた黒データは、図２の黒補正回路部２０６内のメモリ部に記憶される。
【００３８】
黒補正データ生成後、Ｌ５ｄの期間に光源を点灯する。この予備点灯は、図１の原稿１０１を積載するトレイ１０２に原稿１０１を置いたときに原稿給仕部までトレイ１０２を上昇させるタイミングにあわせて行う。なお、この予備点灯は、原稿読取処理開始前に原稿セットを実行するときにのみ行う。
また、この予備点灯は、最初の原稿１０１の原稿読取処理を行う期間が長くならないような期間であれば、例えばトレイ１０２からの原稿給紙から、密着イメージセンサ１０３の原稿読取処理までの間に行うようにしてもよい。さらに、この予備点灯は、トレイ１０２のリフトアップの際と原稿給紙の際の２回行うようにしてもよい。
【００３９】
予備点灯の期間が終了すると、原稿１０１が給紙され原稿読取処理を開始し、密着イメージセンサ１０３で読み取られた黒データを基に黒補正データが生成されるが、この黒補正データを生成する間は、光源は点灯させない。
画像読取装置は、本体システムより入力されるＳＬＥＡＤ信号およびＳＳＣＡＮ信号に基づいて、白板１０４および原稿１０１の読取動作を開始するが、２枚目以降の原稿１０１を読み取る場合には、原稿読取処理のみ行い、予備点灯は行わない。
このように、光源の予備点灯を行うことで、原稿読取処理の際に光源が点灯しないなどの不具合を解消することができる。さらに、予備点灯時に光源を点滅動作させることにより、起動時に高電圧を何度もかけることができるため、光源の点灯時間を短縮することができる。
【００４０】
【発明の効果】
請求項１記載の発明によれば、基準黒板を使用しないで黒補正用データを生成する場合に、読み取り開始信号を使用して黒補正用データの生成を開始させることにより、基準黒板および専用の信号線を不要とし、さらに、本体システムとの接続線を減らすことができる画像読取装置を提供することができる。また、補助光源を使用することにより、主光源の点灯時間を速くさせ、原稿読取処理の開始時間までの時間を短縮することができる画像読取装置を提供することができる。請求項２記載の発明によれば、補助光源を原稿読取前に消灯させることにより、原稿読取処理の際に補助光源の影響が出ないようにすることができる画像読取装置を提供することができる。
【００４１】
請求項３記載の発明によれば、予備点灯時間を設けることにより、原稿読取処理の際に発生する光源が点灯しないなどの不具合を解消することができる画像読取装置を提供することができる。
請求項４記載の発明によれば、予備点灯時は補助光源を主光源と同じ時間点灯させることにより、光源を安定して点灯させることができる画像読取装置を提供することができる。
【００４２】
請求項５記載の発明によれば、予備点灯を自動原稿給紙装置の原稿給紙トレイに原稿がセットされたときのトレイリフトアップ時に行うことにより、原稿読取処理開始までの時間を延ばすことなく、光源を安定して点灯させることができる画像読取装置を提供することができる。
【００４３】
請求項６記載の発明によれば、主光源の点滅動作を行うことにより、原稿読取処理の際に発生する光源が点灯しないなどの不具合を解消することができる画像読取装置を提供することができる。
請求項７記載の発明によれば、主光源の点滅動作時に補助光源を点灯させることにより、光源を安定して点灯させることができる画像読取装置を提供することができる。
請求項８記載の発明によれば、電源投入時に主光源を点滅動作させることにより、光源を安定して点灯させることができる画像読取装置を提供することができる。
【００４４】
請求項９記載の発明によれば、主光源の点滅動作を自動原稿給紙装置の原稿給紙トレイに原稿がセットされたときのトレイリフトアップ時に行うことにより、原稿読取処理開始までの時間を延ばすことなく、光源を安定して点灯させることができる画像読取装置を提供することができる。
請求項１０記載の発明によれば、光源の予備点灯時間を設けることにより、原稿読取処理の際に発生する光源が点灯しないなどの不具合を解消することができる画像読取装置を提供することができる。
請求項１１記載の発明によれば、予備点灯時に光源を点滅動作させることにより、起動時に高電圧を何度もかけることができるため、光源の点灯時間を短縮することができる画像読取装置を提供することができる。
【００４５】
請求項１２記載の発明によれば、電源投入時に光源を予備点灯させることにより、光源を安定して点灯させることができる画像読取装置を提供することができる。
請求項１３記載の発明によれば、光源の予備点灯を自動原稿給紙装置の原稿給紙トレイに原稿がセットされたときのトレイリフトアップ時に行うことにより、原稿読取処理開始までの時間を延ばすことなく、光源を安定して点灯させることができる画像読取装置を提供することができる。
【図面の簡単な説明】
【図１】本発明の実施の形態に係る画像読取装置の概略構成を示す図である。
【図２】本実施の形態に係る画像読取装置の構成を示すブロック図である。
【図３】本実施の形態に係る画像読取装置において行われる原稿画像の読取処理の手順を示したフローチャートである。
【図４】リファレンスコントロール回路部の構成を示すブロック図である。
【図５】実施例１における画像読取装置で用いられる各種制御信号のタイミングチャートを示した図である。
【図６】実施例２における画像読取装置で用いられる各種制御信号のタイミングチャートを示した図である。
【図７】実施例３における画像読取装置で用いられる各種制御信号のタイミングチャートを示した図である。
【図８】実施例４における画像読取装置で用いられる各種制御信号のタイミングチャートを示した図である。
【符号の説明】
１０１　原稿
１０２　トレイ
１０３　密着イメージセンサ
１０４　白板
【図１】
2004080730.tif 000003
【図２】
2004080730.tif 000004
【図３】
2004080730.tif 000005
【図４】
2004080730.tif 000006
【図５】
2004080730.tif 000007
【図６】
2004080730.tif 000008
【図７】
2004080730.tif 000009
【図８】
2004080730.tif 000010